(57)【特許請求の範囲】
【請求項１】
雌雄端子金具と、前記雌雄端子金具をそれぞれ挿入可能なキャビティを備え前記各端子金具の軸方向と交差する方向に前記キャビティと連通して開口したリテーナ挿入孔がそれぞれ設けられた雌雄ハウジングと、前記雌雄ハウジングにおけるいずれのリテーナ挿入孔にも装着可能なリテーナとを備えたコネクタであって、
前記雌雄端子金具には、前記雌雄ハウジングに対する挿入向きを規制する識別部が同端子金具の軸方向を除く異なった位置にそれぞれ設けられ、
前記キャビティには、雌雄の前記キャビティの異なる位置でかつ同キャビティの長さ方向に沿って誤挿入防止部がそれぞれ形成され、この誤挿入防止部は前記雌雄ハウジングに対し前記雌雄端子金具が正しい対応関係にある場合のみ前記識別部とそれぞれ適合して前記雌雄端子金具を前記キャビティへ挿入可能とし、
前記リテーナには、前記キャビティと整合可能な貫通孔が設けられ、かつこの貫通孔には前記雌雄ハウジングの前記リテーナ挿入孔に同リテーナをそれぞれ装着した場合にいずれの前記誤挿入防止部にも連通しいずれの前記識別部も通過可能な許容部が形成されていることを特徴とするコネクタ。
【請求項２】
前記リテーナは、前記雌雄端子金具の挿抜を許容する仮係止位置と前記雌雄端子金具を抜け止めして保持する本係止位置との間を移動可能に形成され、このリテーナが仮係止位置にあるときに前記貫通孔が前記キャビティと整合することを特徴とする請求項１記載のコネクタ。
【発明の詳細な説明】
【０００１】
【発明の属する技術分野】
本発明は、サイドリテーナを備えたコネクタに関する。
【０００２】
【従来の技術】
コネクタに備えられているリテーナにおいて、ハウジングの側面から端子金具の軸方向と直交する方向にリテーナを差し込んで端子金具と係止するサイドリテーナタイプが知られている。これはランスにより一次係止された端子金具と直接係合し合うために係止力が強く、通常多く使用されている。その一例として、特開平１１−３０７１６４号に開示されているようなものが挙げられる。
【０００３】
ところで雄端子金具及び雌端子金具にはスタビライザがそれぞれ突設され、一方雄ハウジング及び雌ハウジングの各キャビティには端子金具が正規の向きで挿入された時のスタビライザの形成位置に対応して逃げ部が設けてある。したがって正しい向きでは各端子金具の挿入を許容し、誤った向きではスタビライザがキャビティ壁等に干渉して入らないようになっている。
【０００４】
さらに、雄端子金具と雌端子金具のスタビライザはそれぞれ異なった位置に形成され、上記したようにキャビティの逃げ部も各スタビライザに対応した雄雌異なった位置に設けられているため、雄コネクタと雌コネクタ間における雌雄端子金具同士の誤挿入も併せて防止することが可能となっている。
【０００５】
【発明が解決しようとする課題】
したがって、これらの雄端子金具と雌端子金具を係止するリテーナもそれぞれのスタビライザに対応する位置に逃がしを形成しなければならないため、雄コネクタ用と雌コネクタ用にそれぞれ専用のリテーナを製作する必要があった。よって、部品点数が増えて製造コストが高くつくと共に、その取扱いや管理が煩わしいものとなっていた。
【０００６】
本発明は上記のような事情に基づいて完成されたものであって、雄コネクタ及び雌コネクタに組付けるリテーナを共通化して部品点数の削減を図ることを目的とする。
【０００７】
【課題を解決するための手段】
上記の目的を達成するための手段として、請求項１の発明は、雌雄端子金具と、前記雌雄端子金具をそれぞれ挿入可能なキャビティを備え前記各端子金具の軸方向と交差する方向に前記キャビティと連通して開口したリテーナ挿入孔がそれぞれ設けられた雌雄ハウジングと、前記雌雄ハウジングにおけるいずれのリテーナ挿入孔にも装着可能なリテーナとを備えたコネクタであって、前記雌雄端子金具には、前記雌雄ハウジングに対する挿入向きを規制する識別部が同端子金具の軸方向を除く異なった位置にそれぞれ設けられ、前記キャビティには、雌雄の前記キャビティの異なる位置でかつ同キャビティの長さ方向に沿って誤挿入防止部がそれぞれ形成され、この誤挿入防止部は前記雌雄ハウジングに対し前記雌雄端子金具が正しい対応関係にある場合のみ前記識別部とそれぞれ適合して前記雌雄端子金具を前記キャビティへ挿入可能とし、前記リテーナには、前記キャビティと整合可能な貫通孔が設けられ、かつこの貫通孔には前記雌雄ハウジングの前記リテーナ挿入孔に同リテーナをそれぞれ装着した場合にいずれの前記誤挿入防止部にも連通しいずれの前記識別部も通過可能な許容部が形成されている構成としたところに特徴を有する。
【０００８】
請求項２の発明は、請求項１に記載のものにおいて、前記リテーナは、前記雌雄端子金具の挿抜を許容する仮係止位置と前記雌雄端子金具を抜け止めして保持する本係止位置との間を移動可能に形成され、このリテーナが仮係止位置にあるときに前記貫通孔が前記キャビティと整合するところに特徴を有する。
【０００９】
【発明の作用及び効果】
＜請求項１の発明＞
リテーナは雌雄ハウジングの双方に装着可能となっているため、それぞれのリテーナ装着孔にリテーナを挿入しキャビティを貫通孔と整合させておくと、各端子金具をキャビティへ挿入可能な状態となる。ここで、各キャビティに設けられている誤挿入防止部は、雌雄端子金具が雌雄ハウジングに対しそれぞれ正しい対応関係で挿入された場合にのみ識別部と適合して雌雄端子金具を各キャビティへそれぞれ挿入可能としているため、各雌雄端子金具の誤挿入を防いでいる。
【００１０】
さらに、雌雄ハウジングのそれぞれにリテーナが装着された場合に、貫通孔の許容部は雌雄ハウジングのいずれの誤挿入防止部とも連通して雌雄端子金具双方の識別部の通過を可能としているため各雌雄端子金具をキャビティ内に挿入することができる。
よってこのような許容部が設けられていることでリテーナを雌雄のハウジングに対して共用することができ、部品点数を削減することができる。
【００１１】
＜請求項２の発明＞
リテーナが仮係止位置にあるときに貫通孔がキャビティと整合しているため、いずれの端子金具もリテーナに干渉することなく円滑にキャビティ内に挿入可能となる。
【００１２】
【発明の実施の形態】
以下、本発明の実施形態を図１ないし図７によって説明する。図１に示す雄コネクタ１と雌コネクタ２０は互いに嵌合可能となっている。まず、雄コネクタ１から説明すると、雄コネクタ１は雄端子金具２と雄ハウジング６及びリテーナ４０とから構成されている。雄端子金具２は前端から順にタブ部４、箱部３及びバレル部３Ａとから成っている。さらに箱部３の下面側でかつ幅方向端縁（図３における（Ａ）参照）にはスタビライザ５（識別部）が下方へ突出形成され、キャビティ１０内に挿入する向きを規制する役目を果たす。
【００１３】
雄ハウジング６は端子収容部９とこの前方に形成されたフード部７とから成っている。フード部７は端子収容部９より一回り大きな角筒状に形成され、かつ前方が開口し雌コネクタ２０を内部に嵌め入れ可能となっている。フード部７の上面にはロック孔８が貫通形成され、雌雄のハウジングが正規嵌合した時に雌ハウジング２５のロックアーム２６と係止可能となっている（図４参照）。また、このときには、フード部７内に突出した雄端子金具２のタブ部４と雌ハウジング２５内の雌端子金具２１とが正規に接続可能となっている。
【００１４】
図４に示すように、端子収容部９内に設けられたキャビティ１０の底面には弾性的に上下に撓み可能なランス１２が設けられ、雄端子金具２の箱部３に開口したランス係止孔３Ｂと係止可能となっている。また、図１及び図２に示すようにキャビティ１０の底面で一方側のコーナー部には誤挿入防止部１１が長さ方向に渡って凹み形成されている。これは前記した雄端子金具２のスタビライザ５の形成位置に対応する位置に設けられている。したがって、雄端子金具２が正しい向きでキャビティ１０に挿入される場合にはスタビライザ５は誤挿入防止部１１を通過しつつ内部まで装着可能となるが、雄端子金具２を誤った向きで挿入しようとする場合（例えば、上下反転して挿入するような場合）にはスタビライザ５と誤挿入防止部１１とが不適合となるため雄端子金具２を挿入不能となっている。
【００１５】
端子収容部９の下面側には、リテーナ挿入孔１５がキャビティ１０を前後に分断するように貫通形成され、リテーナ４０を下面側から装着可能としている。リテーナ挿入孔１５の幅方向の対向する内側面には一対の係止突部１６が突設されリテーナ４０を仮係止位置及び本係止位置に係止可能としている（図５及び図６参照）。
【００１６】
次に、雌コネクタ２０について説明する。図１のように、この雌コネクタ２０は雌端子金具２１と雌ハウジング２５及びリテーナ４０とから構成されている。詳しくは後述するが、このリテーナ４０は前記した雄ハウジング６と装着したものと同じものが使用可能となっている。雌端子金具２１は接続部２２とバレル部２２Ａとから形成されている。また、図３に示すように接続部２２の下面側で雄端子金具２とは幅方向における反対側の端縁には、前記した雄端子金具２のスタビライザ５と同形状のスタビライザ２４（識別部）が下方へ向けて突出され、スタビライザ５と同様な役目を果たしている。
【００１７】
雌ハウジング２５はフード部７内に嵌まり込むことができる角筒状にて形成されている。上面にはロックアーム２６が弾性的に撓み可能に形成され、ロックアーム２６の上面に形成された突部２７がフード部７のロック孔８とロック可能となっている。
【００１８】
雌ハウジング２５の各キャビティ２９には前記した雄ハウジング６と同様なランス３１が設けられ、雌端子金具２１の接続部２２に開口したランス係止孔２２Ｂに係止可能となっている。このキャビティ２９に設けられた誤挿入防止部３０は、雌雄端子金具２，２１のスタビライザ５，２４の位置が相互に反対の位置に形成されていることに対応して、雄ハウジング６のキャビティ１０とは反対側のコーナー部（図２の（Ｂ）参照）に形成されている。これらのスタビライザ５，２４が雄側と雌側とでは幅方向対称位置に設けられ、かつ誤挿入防止部１１，３０もそれぞれに対応して形成されていることにより、雄端子金具２と雌端子金具２１同士が誤って相手側のキャビティに挿入されてしまうことも回避される。
【００１９】
また、雌ハウジング２５の下面側には、リテーナ４０を装着可能なリテーナ挿入孔１５が雄ハウジング６と同一形状で設けられている。
【００２０】
次に、図２及び図７に示すリテーナ４０について説明すると、このリテーナ４０は雄ハウジング６及び雌ハウジング２５のリテーナ挿入孔１５の双方に装着可能に形成されている。
【００２１】
リテーナ４０には各キャビティと整合可能な貫通孔４４が形成されている。また、各貫通孔４４の幅方向における両下縁のコーナー部には、一対の許容部４５が貫通孔４４の孔縁に沿って凹み形成されている。リテーナ４０が雌雄ハウジング６，２５の次述する仮係止位置にそれぞれ組み付けられたとき、雄コネクタ１においては許容部４５のうち図２に示す右側に位置するものがキャビティ１０側の誤挿入防止部１１と整合し、雌コネクタ２０においては同図における左側に位置するものがキャビティ２９側の誤挿入防止部３０と整合するように形成されている。これによって、雌雄両コネクタにおいても雌雄端子金具２，２１のスタビライザ５，２４はリテーナ４０部分を通過可能となっている。
【００２２】
また、リテーナ４０の両側面の端部寄りには仮係止孔４２と本係止孔４３とが上下に並んでそれぞれ設けられている。図５及び図６のようにリテーナ４０がリテーナ挿入孔１５に挿入されると、まず上方の仮係止孔４２に係止突部１６が嵌り込み、仮係止位置に保持される。さらにリテーナ４０が押し込まれると仮係止孔４２と係止突部１６の係止が外れ、下方の本係止孔４３に係止突部１６が嵌り込み本係止位置に保持されるようになっている。ここで、前記した仮係止位置においては、リテーナ４０に形成された貫通孔４４と対応する各キャビティ１０，２９とが整合して雌雄の端子金具を挿抜可能としている。また、本係止位置においては、貫通孔４４と各キャビティ１０，２９とが不整合となることにより、貫通孔４４の開口縁が雄コネクタ１では雄端子金具２の箱部３の後端と引っ掛かり、雌コネクタ２０では雌端子金具２１の接続部２２の後端と引っ掛かることにより雌雄端子金具２，２１の抜け止めがなされている。
【００２３】
よって、上記した本実施形態によれば、雌雄コネクタ１，２０においてスタビライザ５，２４及び誤挿入防止部１１，３０が相互に反対の位置に形成されていることにより、誤って雄端子金具２を雌ハウジング２５に挿入、あるいは雌端子金具２１を雄ハウジング６に挿入しようとした場合には、雌雄端子金具２，２１のスタビライザ５，２４がいずれも雌雄ハウジング６，２５の後端面に干渉して挿入不能となる。したがって、端子金具とコネクタが誤った組合わせで組み付けられるのを防止できる。
【００２４】
端子金具とコネクタが正しい組合わせで組み付けられる場合には、まず雄コネクタ１においては雄ハウジング６のリテーナ挿入孔１５にリテーナ４０を挿入し、仮係止孔４２に係止突部１６を嵌め込んで仮係止位置に保持する。すると、キャビティ１０と貫通孔４４とが整合し、かつ誤挿入防止部１１と図２に示す右側の許容部４５とが整合する。そのため、雄端子金具２をキャビティ１０に挿入する際には、スタビライザ５が許容部４５を通過できるためリテーナ４０に干渉することなく雄端子金具２を雄ハウジング６内に装着可能となる。このように雄端子金具２をキャビティ１０内に挿入した後、雄端子金具２のランス係止孔３Ｂとランス１２とが係止することで雄端子金具２は１次係止される。そして、リテーナ４０を仮係止位置からさらに押し入れると本係止孔４３と係止突部１６とが嵌まりあって本係止位置に保持される。すると、貫通孔４４がキャビティ１０と不整合となるため、貫通孔４４の開口縁と雄端子金具２の箱部３の後端とが引っ掛かりあって雄端子金具２が抜け止めされる。
【００２５】
また、雌コネクタ２０の場合も同様に、リテーナ４０が仮係止位置に組み付けられた状態ではキャビティ２９と貫通孔４４とが整合し、誤挿入防止部３０と図２に示す左側の許容部４５とが整合するため雌端子金具２１のスタビライザ２４を挿通可能となる。その後、雄コネクタ１と同様にランス３１とリテーナ４０により雌端子金具２１は抜け止めされる。
【００２６】
このように、雄ハウジング６と雌ハウジング２５の誤挿入防止部１１，３０とそれぞれ連通する許容部４５が貫通孔４４に併せて設けられていることで、リテーナ４０を雄ハウジング６及び雌ハウジング２５に共用して使用することができ、部品点数の削減が可能となる。
【００２７】
＜他の実施形態＞
本発明は上記記述及び図面によって説明した実施形態に限定されるものではなく、例えば次のような実施形態も本発明の技術的範囲に含まれ、さらに、下記以外にも要旨を逸脱しない範囲内で種々変更して実施することができる。
【００２８】
（１）上記した実施形態では許容部４５を２箇所に設けたが、双方の誤挿入防止部１１，３０とも連通可能な大きさの許容部４５を１箇所形成しても良い。
（２）上記した実施形態では、雌雄のスタビライザ５，２４を同一形状としたが、異なる形状にしてもよく、その場合、各スタビライザ５，２４と適合したいずれの誤挿入防止部１１，３０にも連通可能な形状の許容部４５を一対設ければ良い。
【００２９】
（３）上記した実施形態では、雌雄端子金具２，２１にスタビライザ５，２４を突設し、キャビティ１０，２９に誤挿入防止部１１，３０を凹設して各端子金具の挿入向きを規制したが、逆に雌雄端子金具２，２１に凹みを設け、キャビティ１０，２９に凸部を設けても良い。
【図面の簡単な説明】
【図１】本発明の実施形態における雄コネクタ及び雌コネクタの分解斜視図
【図２】（Ａ）は雄ハウジングとリテーナを示す背面図
（Ｂ）は雌ハウジングとリテーナを示す背面図
【図３】（Ａ）は雄端子金具のスタビライザの位置関係を示す概略図
（Ｂ）は雌端子金具のスタビライザの位置関係を示す概略図
【図４】雌雄コネクタが嵌合した状態の縦断面図
【図５】雄ハウジングにリテーナが仮係止位置に装着された状態を示す横断面図
【図６】雄ハウジングにリテーナが本係止位置に装着された状態を示す横断面図
【図７】リテーナの正面図
【符号の説明】
２…雄端子金具
６…雄ハウジング
５，２４…スタビライザ（識別部）
１０，２９…キャビティ
１１，３０…誤挿入防止部
１５…リテーナ挿入孔
２１…雌端子金具
２５…雌ハウジング
４０…リテーナ
４４…貫通孔
４５…許容部
【図１】
0003858641.tif 000002
【図２】
0003858641.tif 000003
【図３】
0003858641.tif 000004
【図４】
0003858641.tif 000005
【図５】
0003858641.tif 000006
【図６】
0003858641.tif 000007
【図７】
0003858641.tif 000008